(57)【要約】【課題】受動的に放熱又は吸熱する物体又は空間の温度をより均一に分布させることが可能な、吸熱又は放熱装置を提供する。【解決手段】通過流体の温度差を有する両端である流体入口１０２及び流体出口１０３から中間に向かって流体管路１０１が交互に分布することにより、吸熱又は放熱体において隣り合う流路を流れる温度差を持つ流体の合成温度をより均一に分布させ、受動的に放熱又は吸熱する物体又は空間２００に、より均一な温度分布状態を形成する。【選択図】  図４
2011085384.tif 000002
【特許請求の範囲】
【請求項１】
流体管路は通過する流体温度差の両側から中央に向かって交互に規則的に配置され、隣り合う流路を流れる温度差を持つ流体の合成温度を均一に分布させ、受動的に放熱又は吸熱する物体又は空間に対して吸熱又は放熱機能を生じさせ、受動的に放熱又は吸熱する物体又は空間に均一な温度分布状態を形成する、吸熱又は放熱装置であって、
吸熱又は放熱する熱エネルギー伝送体（１００）は、固相、又はゴム相、又は液相、又は気相熱伝導性材料により構成される吸熱又は放熱構成体により構成され、少なくとも一個により構成され、
流体管路（１０１）は、熱良導性材料により構成され、通過する流体温度差の両端から中間に向かって交互に分布することにより、吸熱又は放熱体において隣り合う流路を流れる温度差を持つ流体の合成温度をより均一に分布させ、
流体管路（１０１）の内部に気相流体、又は液相流体、又は気相から液相に変化する流体、又は液相から気相に変化する流体により構成される熱伝導流体（１１０）が流通し、熱伝導流体（１１０）の熱エネルギーを直接又は吸熱又は放熱する熱エネルギー伝送体（１００）を通して、受動的に放熱又は吸熱する固相、又はゴム相、又は液相、又は気相物体又は空間（２００）に対して、吸熱又は放熱する機能を作動し、
流体管路（１０１）の流体入口（１０２）に熱伝導流体（１１０）が流入し、流体管路（１０１）の流体出口（１０３）に熱伝導流体（１１０）が流出し、
流体管路（１０１）は平行又は平行に近い平面状又は立体状に構成可能であり、
吸熱又は放熱する熱エネルギー伝送体（１００）に形成し、吸熱又は放熱する熱エネルギー伝送体（１００）の全体の温度差をより均一に分布させ、受動的に放熱又は吸熱する固相、又はゴム相、又は液相、又は気相物体又は空間（２００）に対して、吸熱又は放熱することを特徴とする吸熱又は放熱装置。
【請求項２】
吸熱又は放熱する熱エネルギー伝送体（１００）と流体管路（１０１）は、
（１）吸熱又は放熱する熱エネルギー伝送体（１００）と流体管路（１０１）を組み立てることにより構成される関係、
（２）吸熱又は放熱する熱エネルギー伝送体（１００）と流体管路（１０１）の一体構成による関係、
（３）流体管路（１０１）が直接吸熱又は放熱する熱エネルギー伝送体（１００）の機能を構成する関係、
（４）流体管路（１０１）に独立した熱伝導性板（３００）を追加設置することにより、吸熱又は放熱する熱エネルギー伝送体（１００）の機能を構成する関係、
（５）周りの流体管路（１０１）の間に、共熱伝導性板（４００）を連結させ、吸熱又は放熱する熱エネルギー伝送体（１００）の機能を構成する関係、
（６）周りの流体管路（１０１）の間に、耐熱槽を持つ熱伝導性板（３５０）を連結させ、吸熱又は放熱する熱エネルギー伝送体（１００）の機能を構成する関係、
のうち少なくとも一種の関係により構成することができることを特徴とする請求項１記載の吸熱又は放熱装置。
【請求項３】
流体管路（１０１）は、二分岐パイプ又は二分岐パイプ以上の分岐管路が両端から中間に向かって順序に従って配列し、中間で再び合流することを特徴とする請求項１記載の吸熱又は放熱装置。
【請求項４】
両端から中間に向かって配列する二分岐パイプにより温度差を示す熱伝導流体（１１０）を輸送し、第１分岐管路（１０１１）及び第２分岐管路（１０１２）が両端から中間に向かって順序に従って配列し、中間で流体管路（１０１）に合流することにより、直接又は吸熱又は放熱する熱エネルギー伝送体（１００）を通して、受動的に放熱又は吸熱する固相、又はゴム相、又は液相、又は気相物体又は空間（２００）に対して、熱エネルギーを伝送し、
流体管路（１０１）は、熱良導性材料により構成され、流体管路（１０１）の流体入口（１０２）と流体出口（１０３）の間に二分岐パイプの第１分岐管路（１０１１）及び第２分岐管路（１０１２）が分岐し、両端から中間に向かって順序に従って配列し、中間で再び流体管路（１０１）に合流することにより、気相流体、又は液相流体、又は気相から液相に変化する流体、又は液相から気相に変化する流体により構成される熱伝導流体（１１０）を輸送し、直接又は吸熱又は放熱する熱エネルギー伝送体（１００）を通して、熱エネルギーを受動的に放熱又は吸熱する固相、又はゴム相、又は液相、又は気相物体又は空間（２００）へ伝送し、
第１分岐管路（１０１１）と第２分岐管路（１０１２）は平行又は平行に近い平面状又は立体状に形成可能で、又は同一構成体を構成し、
流体管路（１０１）の流体入口（１０２）と流体出口（１０３）の間は、第１分岐管路（１０１１）及び第２分岐管路（１０１２）に分岐し、又は二分岐パイプ以上により構成され、流体管路（１０１）の流体入口（１０２）及び流体出口（１０３）を別々に吸熱又は放熱する熱エネルギー伝送体（１００）の両端に設置し、
第１分岐管路（１０１１）の第１分岐入口と第２分岐管路（１０１２）の第２分岐入口を並列に接続し、第１分岐管路（１０１１）の第１分岐出口と第２分岐管路（１０１２）の第２分岐出口を並列に接続することにより、熱伝導流体（１１０）を伝送し、
流体入口（１０２）に比較的近い第１分岐管路（１０１１）と流体入口（１０２）に比較的近い第２分岐管路（１０１２）を別々に同一構成体の上下両側に設置し、また第１分岐管路（１０１１）の第１分岐出口と第２分岐管路（１０１２）の第２分岐出口を並列に接続し、同一構成体の中間に設置し、作動中にその同一構成体に設置する第１分岐管路（１０１１）と第２分岐管路（１０１２）に対して、別々に熱伝導流体（１１０）を輸送し、その同一構成体の全体の温度差をより均一に分布させ、直接又は吸熱又は放熱する熱エネルギー伝送体（１００）を通して、受動的に放熱又は吸熱する固相、又はゴム相、又は液相、又は気相物体又は空間（２００）に対して、吸熱又は放熱することを特徴とする請求項３記載の吸熱又は放熱装置。
【請求項５】
流体管路を平行又は平行に近い平面状又は立体状に作ること可能で、受動的に放熱又は吸熱する熱伝導流体を伝送するパイプ構成体（１００’）が、受動的に放熱又は吸熱する固相、又はゴム相、又は液相、又は気相物体又は空間（２００）、また流体管路（１０１）を通して伝送呈気相流体、又は液相流体、又は気相から液相に変化する流体、又は液相から気相に変化する流体により構成される熱伝導流体（１１０）に取って代わり、吸熱又は放熱する熱エネルギー伝送体（１００）を通して、熱エネルギーを受動的に放熱又は吸熱する熱伝導流体のパイプ構成体（１００’）へ伝送することを特徴とする請求項１記載の吸熱又は放熱装置。
【請求項６】
流体管路（１０１）及び／又は受動的に放熱又は吸熱する熱伝導流体を伝送するパイプ構成体（１００’）に独立の熱伝導性板（３００）を追加設置し、及び／又は共熱伝導性板（４００）を設置し、及び／又は耐熱槽を持つ熱伝導性板（３５０）を設置し、放熱又は吸熱効果を一層高めることを特徴とする請求項１記載の吸熱又は放熱装置。
【請求項７】
流体管路（１０１）を通過し、及び／又は受動的に放熱又は吸熱する熱伝導流体を伝送するパイプ構成体（１００’）の流体は、制御装置（５００）の制御を通して、二方向流体ポンピング装置（６００）を駆動し、周期的に正逆方向へ圧送し、二方向に熱伝導流体（１１０）を圧送することにより、均温効果を高め、
二方向流体ポンピング装置（６００）は、機電装置又は電子装置又はマイクロコンピュータ及び関連ソフトにより構成される制御装置（５００）により制御され、また周期的に正逆方向へ圧送することを特徴とする請求項１記載の吸熱又は放熱装置。
【請求項８】
熱伝導流体（１１０）が通過する流体管路と吸熱又は放熱する熱エネルギー伝送体（１００）とを一体に構成可能であることを特徴とする請求項１記載の吸熱又は放熱装置。
【請求項９】
熱伝導流体（１１０）が通過する流体管路と吸熱又は放熱する熱エネルギー伝送体（１００）とを組合せにより構成可能であることを特徴とする請求項１記載の吸熱又は放熱装置。
【請求項１０】
流体（１１０）が通過する流体管路での結合は、１セットの構体により板状、又は塊状、又は多翼状により構成ユニットを構成し、又は翼片との組合せにより構成ユニットを構成し、また少なくとも一個の構成ユニットにより構成可能であることを特徴とする請求項１記載の吸熱又は放熱装置。
【請求項１１】
少なくとも一個により組立てられ、またその個別パーツは熱伝導流体（１１０）が通過する流体管路の間で、直列又は並列又は直並列に接続され、また並列又は重なり合うようにして、各種幾何形状にすることができることを特徴とする請求項１記載の吸熱又は放熱装置。
【請求項１２】
通過に関連する流体管路の熱伝導流体（１１０）は、圧送及び／又は蒸発、及び／又は冷熱の自然対流方式で熱伝導流体（１１０）を輸送することを特徴とする請求項１記載の吸熱又は放熱装置。
【請求項１３】
流体の冷熱温度差、自然対流及び／又は強制的に流体をポンピングすることにより対流を生じさせ、及び／又は輻射、及び／又は伝導の熱伝送機能を通して、流体状態の受動的に放熱又は吸熱する固相、又はゴム相、又は液相、又は気相物体又は空間（２００）に対して、熱エネルギー又は冷熱エネルギーを放出するし、
又は伝導方式を通して、受動的に放熱又は吸熱する固相、又はゴム相、又は液相、又は気相の物体又は空間（２００）に対して、熱エネルギー又は冷熱エネルギーを放出することを特徴とする請求項１記載の吸熱又は放熱装置。
【請求項１４】
流体管路の熱伝導流体（１１０）は、密閉式循環又は開放式の流動放出を含むことを特徴とする請求項１記載の吸熱又は放熱装置。
【請求項１５】
流体管路の流体入口と流体出口は、３次元空間中の指向性は、同指向又は異なる指向に設置可能であることを特徴とする請求項１記載の吸熱又は放熱装置。
【請求項１６】
流体管路は、管状構成により構成され、及び／又は流体が流動する流体管路の板片状構成により構成され、及び／又は流体が流動するトンネル状流体管路の塊状構成により構成されることを特徴とする請求項１記載の吸熱又は放熱装置。
【請求項１７】
吸熱又は散熱又は冷却の熱伝導応用装置、例えばエンジンルームのラジエーター、又は温度を通して伝導する流体を吸熱する冷熱エネルギー排放装置、又は温度を通して伝導する流体を放熱する熱エネルギー排放装置、例えば暖房器具の熱エネルギー伝送、又は加熱装置、又は熱エネルギー伝送装置、又は建物の天井、壁、床の加熱又は冷卻、太陽光パネルの冷卻、電機又は動力機械の加熱又は冷卻、マシンシェルの吸熱又は散熱するヒートパイプ構成のボディシェルの吸熱又は散熱、ボディシェルの吸熱又は散熱、チップ又は半導体素子の吸熱又は散熱、通風装置、又は情報装置、又はステレオ又は画像装置の吸熱又は散熱又は熱エネルギーの伝送、灯具又は発光ダイオードの吸熱又は散熱又は熱エネルギー伝送、空調装置の蒸発器の吸熱又は冷凝器の散熱又は熱エネルギー伝送、又は機械装置の熱エネルギー伝送、又は摩擦熱による損失の散熱、又は電暖装置又は電熱家電の装置又は電熱式炊飯器の散熱又は熱エネルギー伝送、又は火炎加熱のストーブ又は炊具の吸熱又は熱エネルギー伝送、又は地層又は水中での熱エネルギーの吸熱又は散熱又は熱エネルギー伝送、工場建物又は家屋建物又は建築材料又は建築空間の吸熱又は散熱又は熱エネルギー伝送、水塔の吸熱又は散熱、バッテリー又は燃料電池の吸熱又は散熱又は熱エネルギー伝送へ応用可能であり、
家電商品、工業商品、電子商品、電機又は機械装置、発電設備、建築体、空調装置、生産設備又は産業の製造過程中の熱エネルギー伝送へ応用可能であることを特徴とする請求項１記載の吸熱又は放熱装置。
【発明の詳細な説明】
【技術分野】
【０００１】
本発明は、通過流体の温度差を利用し、吸熱又は放熱機能を生じさせ、受動的に放熱又は吸熱する物体又は空間の温度をより均一に分布させる、吸熱又は放熱装置に関する。
【背景技術】
【０００２】
従来、吸熱又は放熱体の気相流体、又は液相流体、又は気相から液相に変化する流体、又は液相から気相に変化する流体により構成される熱伝導流体が通過することにより、吸熱又は放熱を生じさせる応用装置が知られている。例えば、エンジンルームのラジエーター、又は熱伝導流体を吸熱する冷熱エネルギー発生装置を通して、又は熱伝導流体を放熱する熱エネルギー発生装置、例えば暖房器具、又は加熱装置、又は熱エネルギー伝送装置を通して、熱伝導流体の流向は固定であるために、吸熱又は放熱体の各位置において、熱伝導流体は比較的大きな温度差を形成する。
【発明の概要】
【発明が解決しようとする課題】
【０００３】
従来、吸熱又は放熱体の気相流体、又は液相流体、又は気相から液相に変化する流体又は液相から気相に変化する流体により構成される熱伝導流体が通過することにより、吸熱又は放熱を生じさせる応用装置が知られている。熱伝導流体の流向は固定であるために、熱伝導流体は、吸熱又は放熱体の各位置において、比較的大きな温度差を形成する。
本発明の目的は、受動的に放熱又は吸熱する物体又は空間の温度をより均一に分布させることが可能な、吸熱又は放熱装置を提供することにある。
【課題を解決するための手段】
【０００４】
本発明は、従来の熱伝導流体の吸熱又は放熱装置を、両端から中間に向かって交互に分布するように改良することにより、隣り合う流路が流れる温度差を持つ流体の吸熱又は放熱体の合成温度をより均一に分布させ、受動的に放熱又は吸熱する物体又は空間に対して、吸熱又は放熱機能を生じさせ、受動的に放熱又は吸熱する物体又は空間の温度をより均一に分布させる。
（効果）
本発明は、通過流体の温度差を利用し、両端から中間に向かって交互に分布するパイプを有する吸熱又は放熱体において、当該吸熱又は放熱体の隣り合う流路を流れる温度差を持つ流体の合成温度を、より均一に分布させる。これにより、本発明は、受動的に放熱又は吸熱する物体又は空間に対して、吸熱又は放熱機能を生じさせ、受動的に放熱又は吸熱する物体又は空間の温度をより均一に分布させることができる。
【図面の簡単な説明】
【０００５】
【図１】従来の、吸熱又は放熱する気相流体、又は液相流体、又は気相から液相に変化する流体、又は液相から気相に変化する流体により構成される熱伝導流体を通して、固定流向の熱伝導流体により構成される吸熱又は放熱装置が通過する吸熱又は放熱装置である、本発明の第１実施形態の説明図。
【図２】図１の吸熱する冷熱エネルギー発生装置が作動中の温度差分布を示す説明図。
【図３】図１の放熱する熱エネルギー発生装置が作動中の温度差分布を示す説明図。
【図４】本発明の第１実施形態の主な構成を示す説明図。
【図５】図４の吸熱する冷熱エネルギー発生装置が作動中の温度差分布を示す説明図。
【図６】図４の放熱する熱エネルギー発生装置が作動中の温度差分布を示す説明図。
【図７】本発明の第２実施形態の主な構成を示す説明図。
【図８】図７の吸熱する冷熱エネルギー発生装置が作動中の温度差分布を示す説明図。
【図９】図７の放熱する熱エネルギー発生装置が作動中の温度差分布を示す説明図。
【図１０】本発明の図４の実施形態の中の流体管路（１０１）が吸熱又は放熱する熱エネルギー伝送体（１００）を通して、受動的に放熱又は吸熱する熱伝導流体を伝送するパイプ構成体（１００’）と組合せる応用例である、本発明の第３実施形態を示す説明図。
【図１１】本発明の図７実施形態の中の流体管路（１０１）が第１分岐管路（１０１１）と第２分岐管路（１０１２）が吸熱又は放熱する熱エネルギー伝送体（１００）を通して、受動的に放熱又は吸熱する熱伝導流体を伝送するパイプ構成体（１００’）と組合せる応用例である、本発明の第４実施形態を示す説明図。
【図１２】本発明の図４実施形態の中の流体管路（１０１）が吸熱又は放熱する熱エネルギー伝送体（１００）を通して、数セットの受動的な放熱又は吸熱する熱伝導流体のパイプ構成体（１００’）と組合せる応用例である、本発明の第５実施形態を示す説明図。
【図１３】本発明の図７実施形態の中の流体管路（１０１）、第１分岐管路（１０１１）、第２分岐管路（１０１２）が吸熱又は放熱する熱エネルギー伝送体（１００）を通して、数セットの受動的な放熱又は吸熱する熱伝導流体のパイプ構成体（１００’）と組合せる応用例である、本発明の第６実施形態を示す説明図。
【図１４】本発明の流体管路（１０１）に、独立した熱伝導性板（３００）を付け加える、本発明の第７実施形態を示す説明図。
【図１５】図１４のＡ−Ａ断面図。
【図１６】本発明の流体管路（１０１）間に共熱伝導性板（４００）を設置する本発明の第８実施形態を示す説明図。
【図１７】図１６のＢ−Ｂ断面図。
【図１８】本発明の流体管路（１０１）間に耐熱槽を持つ熱伝導性板（３５０）を設置する本発明の第９実施形態を示す説明図。
【図１９】図１８のＣ−Ｃ断面図。
【図２０】二方向にポンプを通して、二方向に周期的に圧送する熱伝導流体（１１０）の作動システムである、本発明の第１０実施形態を示す説明図。
【発明を実施するための形態】
【０００６】
（従来の装置）
図１は、従来の吸熱又は放熱する気相流体、又は液相流体、又は気相から液相に変化する流体、又は液相から気相に変化する流体により構成される熱伝導流体を通して、固定流向の熱伝導流体により構成される吸熱又は放熱装置が通過する主な構成説明図である。図１に示すのは従来の固定流向の気相流体、又は液相流体、又は液相から気相に変化し、又は気相から液相に変化する流体を輸送する熱伝導流体１１０を通して、流体管路１０１を通過し、吸熱又は放熱する熱エネルギー伝送体１００と結合することにより構成される吸熱又は放熱装置のアセンブリー構成である。
【０００７】
（１）流体管路１０１を通過する熱伝導流体１１０により、吸熱又は放熱する熱エネルギー伝送体１００を通して、受動的に放熱又は吸熱する固相、又はゴム相、又は液相、又は気相物体又は空間２００に対して、冷却又は加熱の機能を働く。
（２）流体管路１０１を通過する熱伝導流体１１０により逆方向に熱エネルギーを吸熱又は放熱する熱エネルギー伝送体１００の周辺から来る冷熱エネルギー又は熱エネルギーを冷却又は加熱する。
【０００８】
前述の（１）でよく見られるのは例えばエンジンルームのラジエーター、又は熱伝導流体１１０を通して吸熱する冷熱エネルギー発生装置、又は熱伝導流体１１０を通して放熱する熱エネルギー発生装置、例えば暖房器具、又は加熱装置、又は蒸発器又は凝結器、又は冷熱エネルギー又は熱エネルギー伝送装置へ応用する。後者の（２）でよく見られるのは冷熱エネルギー又は熱エネルギー伝送装置への応用である。
（１）へ応用するとき、熱伝導流体１１０は吸熱又は放熱する熱エネルギー伝送体１００の片側の側端にある流体管路１０１の入口により熱伝導流体１１０を入れ、他端から出し、吸熱又は放熱する熱エネルギー伝送体１００の流体管路１０１の入口にある熱伝導流体１１０と流体管路１０１の出口にある熱伝導流体１１０の間に、比較的大きな温度差を形成し、同じ様に（２）へ応用するとき、流体管路１０１の入口及び流体管路１０１の出口に、比較的大きな温度差を形成することは、その欠点である。
【０００９】
図２は図１の吸熱する冷熱エネルギー発生装置が作動中の温度差分布図である。図２に示すのは図１に示した従来の一方向流動の熱伝導流体１１０の輸送を利用し、熱エネルギーを吸熱又は放熱中に、一方向流動の流路を形成させ、また熱伝導流体１１０が流体管路１０１を通過するとき、吸熱又は放熱する熱エネルギー伝送体１００の熱伝導流体１１０の入口と熱伝導流体１１０の出口の間に、比較的大きな温度差の分布状態を形成する。
【００１０】
図３は図１の放熱する熱エネルギー発生装置が作動中の温度差分布図である。図３に示すのは図１に示した従来の一方向流動の熱伝導流体１１０の輸送を利用し、冷熱エネルギーを吸熱又は放熱中に、一方向流動の流路を形成させ、また熱伝導流体１１０が流体管路１０１を通過するとき、吸熱又は放熱する熱エネルギー伝送体１００の熱伝導流体１１０の入口と熱伝導流体１１０の出口の間に、比較的大きな温度差の分布状態を形成する。
【００１１】
以下、本発明の実施形態を図面に基づいて説明する。
上述の現象に対して、本発明は、流体管路が通過流体の温度差を両端から中間に向かって交互に分布することにより、隣り合う流路が流れる温度差を持つ流体の吸熱又は放熱体の合成温度をより均一に分布させ、受動的に放熱又は吸熱する物体又は空間に対して、吸熱又は放熱機能を生じさせ、受動的に放熱又は吸熱する物体又は空間に、より均一に分布させの温度分布状態を形成する。
【００１２】
（第１実施形態）
本発明の第１実施形態を図４に示す。図４に本形態の吸熱又は放熱装置の構成を示す。その主な構成は下記を含む。
【００１３】
吸熱又は放熱する熱エネルギー伝送体１００は、固相、又はゴム相、又は液相、又は気相の熱伝導性材料により構成される吸熱又は放熱構成体である。吸熱又は放熱する熱エネルギー伝送体１００は、少なくとも一個により構成することができる。
【００１４】
流体管路１０１は、熱良導性材料により構成され、通過する流体温度差の両端から中間に向かって交互に分布することにより、吸熱又は放熱体において隣り合う流路を流れる温度差を持つ流体の合成温度をより均一に分布させる。
流体管路１０１は、内部に気相流体、又は液相流体、又は気相から液相に変化する流体、又は液相から気相に変化する流体により構成される熱伝導流体１１０が流通し、熱伝導流体１１０の熱エネルギーを直接又は吸熱又は放熱する熱エネルギー伝送体１００を通して、受動的に放熱又は吸熱する固相、又はゴム相、又は液相、又は気相物体又は空間２００に対して、吸熱又は放熱する機能を作動する。
【００１５】
流体管路１０１の流体入口１０２は熱伝導流体１１０の流入の為に使用され、流体管路１０１の流体出口１０３は熱伝導流体１１０の流出の為に使用される。
上述の流体管路１０１は平行又は平行に近い平面状又は立体状であることができ、吸熱又は放熱する熱エネルギー伝送体１００に形成し、吸熱又は放熱する熱エネルギー伝送体１００の全体の温度差をより均一に分布させ、受動的に放熱又は吸熱する固相、又はゴム相、又は液相、又は気相物体又は空間２００に対して、吸熱又は放熱する。
【００１６】
図４に示す吸熱又は放熱する熱エネルギー伝送体１００と流体管路１０１は下記の少なくとも一種の構成関係により構成することができる。
（１）吸熱又は放熱する熱エネルギー伝送体１００と流体管路１０１を組み立てにより構成される。
（２）吸熱又は放熱する熱エネルギー伝送体１００と流体管路１０１とは一体構成される。
（３）流体管路１０１が直接吸熱又は放熱する熱エネルギー伝送体１００の機能を構成する。
（４）流体管路１０１に独立した熱伝導性板３００を追加設置することにより、吸熱又は放熱する熱エネルギー伝送体１００の機能を構成する。
（５）周りの流体管路１０１の間に、共熱伝導性板４００を連結させ、吸熱又は放熱する熱エネルギー伝送体１００の機能を構成する。
（６）周りの流体管路１０１の間に、耐熱槽を持つ熱伝導性板３５０を連結させ、吸熱又は放熱する熱エネルギー伝送体１００の機能を構成する。
【００１７】
図５は図４の吸熱する冷熱エネルギー発生装置が作動中の温度差分布図である。図５に示すのは流体管路１０１により熱伝導流体１１０を輸送し、入る熱伝導流体１１０と出る熱伝導流体の間に温度差を持ち、また吸熱又は放熱する熱エネルギー伝送体１００の入る熱伝導流体１１０と出る熱伝導流体１１０間の中間温度をより均一に分布させ、受動的に放熱又は吸熱する固相、又はゴム相、又は液相、又は気相物体又は空間２００に対して吸熱又は放熱させることにより、局部的な低温を避ける。
【００１８】
図６は図４の放熱する熱エネルギー発生装置が作動中の温度差分布図である。図６に示すのは流体管路１０１により熱伝導流体１１０を輸送し、入る熱伝導流体１１０と出る熱伝導流体間に温度差を持ち、また吸熱又は放熱する熱エネルギー伝送体１００の入る熱伝導流体１１０と出る熱伝導流体１１０間の中間温度をより均一に分布させ、受動的に放熱又は吸熱する固相、又はゴム相、又は液相、又は気相物体又は空間２００に対して、熱エネルギーを吸熱又は放熱させることにより、局部的な高温を避ける。
【００１９】
（第２実施形態）
本発明の第２実施形態を図７に示す。本形態の流路は温度差により分布する吸熱又は放熱装置の中の流体管路１０１は二分岐パイプ又は二分岐パイプ以上の分岐管路が両端から中間に向かって順序に従って配列し、また中間で再び流体管路１０１に合流する。
【００２０】
図７の中で二分岐パイプを例とすると、両側から中間に向かって配列する二分岐パイプにより温度差を示す熱伝導流体１１０を輸送し、第１分岐管路１０１１及び第２分岐管路１０１２が両端から中間に向かって順序に従って配列し、また中間で再び流体管路１０１に合流することにより、直接又は吸熱又は放熱する熱エネルギー伝送体１００を通して、受動的に放熱又は吸熱する固相、又はゴム相、又は液相、又は気相物体又は空間２００に対して、熱エネルギーを伝送する。更に一歩を進んだ構成は下記を含む。
【００２１】
流体管路１０１は、熱良導性材料により構成され、流体管路１０１の流体入口１０２と流体出口１０３の間に二分岐パイプの第１分岐管路１０１１及び第２分岐管路１０１２が分岐し、両端から中間に向かって順序に従って配列し、また中間で再び流体管路１０１に合流することにより、気相流体、又は液相流体、又は気相から液相に変化する流体、又は液相から気相に変化する流体により構成される熱伝導流体１１０を輸送し、直接又は吸熱又は放熱する熱エネルギー伝送体１００を通して、熱エネルギーを受動的に放熱又は吸熱する固相、又はゴム相、又は液相、又は気相物体又は空間２００へ伝送する。
【００２２】
第１分岐管路１０１１と第２分岐管路１０１２は平行又は平行に近い平面状又は立体状を形成させ、又は同一構成体を構成する。
流体管路１０１の流体入口１０２と流体出口１０３の間は、第１分岐管路１０１１及び第２分岐管路１０１２に分岐し、又は二分岐パイプ以上により構成され、流体管路１０１の流体入口１０２及び流体出口１０３を別々に吸熱又は放熱する熱エネルギー伝送体１００の両側に設置する。
【００２３】
上述の第１分岐管路１０１１の第１分岐入口と第２分岐管路１０１２の第２分岐入口を並列に接続し、第１分岐管路１０１１の第１分岐出口と第２分岐管路１０１２の第２分岐出口を並列に接続することにより、熱伝導流体１１０を伝送する。
【００２４】
上述の流体入口１０２に比較的近い第１分岐管路１０１１と流体入口１０２に比較的近い第２分岐管路１０１２を別々に同一構成体の上下両側に設置し、また第１分岐管路１０１１の第１分岐出口と第２分岐管路１０１２の第２分岐出口を並列に接続し、同一構成体の中間に設置し、作動中にその同一構成体に設置する第１分岐管路１０１１と第２分岐管路１０１２に対して、別々に熱伝導流体１１０を輸送し、その同一構成体の全体の温度差をより均一に分布させ、直接又は吸熱又は放熱する熱エネルギー伝送体１００を通して、受動的に放熱又は吸熱する固相、又はゴム相、又は液相、又は気相物体又は空間２００に対して、吸熱又は放熱する。
【００２５】
図７に示す吸熱又は放熱する熱エネルギー伝送体１００と第１分岐管路１０１１及び／又は第２分岐管路１０１２は、下記の一種又は一種以上の構成関係により構成することができる。
【００２６】
（１）吸熱又は放熱する熱エネルギー伝送体１００と第１分岐管路１０１１及び／又は第２分岐管路１０１２を組み立てて構成される。
（２）吸熱又は放熱する熱エネルギー伝送体１００と第１分岐管路１０１１及び／又は第２分岐管路１０１２の一体構成により構成される。
【００２７】
（３）第１分岐管路１０１１及び／又は第２分岐管路１０１２により直接吸熱又は放熱する熱エネルギー伝送体１００の機能を構成する。
（４）第１分岐管路１０１１及び／又は第２分岐管路１０１２の隣り合う管路間と連接していない独立した熱伝導性板３００を追加設置することにより、吸熱又は放熱する熱エネルギー伝送体１００の機能を構成する。
【００２８】
（５）周りの第１分岐管路１０１１及び／又は第２分岐管路１０１２の隣り合う管路の間を共熱伝導性板４００で連接することにより、吸熱又は放熱する熱エネルギー伝送体１００の機能を構成する。
（６）周りの第１分岐管路１０１１及び／又は第２分岐管路１０１２の隣り合う管路の間を耐熱槽を持つ熱伝導性板３５０で連接することにより、吸熱又は放熱する熱エネルギー伝送体１００の機能を構成する。
【００２９】
図８は図７の吸熱する冷熱エネルギー発生装置が作動中の温度差分布図である。
図９は図７の放熱する熱エネルギー発生装置が作動中の温度差分布図である。
本形態の吸熱又は放熱装置は、流体管路１０１及び／又は第１分岐管路１０１１、第２分岐管路１０１２と受動的に放熱又は吸熱する固相、又はゴム相、又は液相、又は気相物体又は空間２００により、直接同一構成体を構成することができる。
【００３０】
本形態の吸熱又は放熱装置は、また流体管路を平行又は平行に近い平面状又は立体状に作ることができ、受動的に放熱又は吸熱する熱伝導流体を伝送するパイプ構成体１００’が、受動的に放熱又は吸熱する固相、又はゴム相、又は液相、又は気相物体又は空間２００、また流体管路１０１を通して伝送呈気相流体、又は液相流体、又は気相から液相に変化する流体、又は液相から気相に変化する流体により構成される熱伝導流体１１０に取って代わり、吸熱又は放熱する熱エネルギー伝送体１００を通して、熱エネルギーを受動的に放熱又は吸熱する熱伝導流体のパイプ構成体１００’へ伝送する。
【００３１】
（第３実施形態）
本発明の第３実施形態を図１０に示す。本形態は、図４の流体管路１０１を吸熱又は放熱する熱エネルギー伝送体１００を通して、受動的に放熱又は吸熱する熱伝導流体を伝送するパイプ構成体１００’と組合せる応用例である。
【００３２】
（第４実施形態）
本発明の第４実施形態を図１１に示す。本形態は、図７の流体管路１０１を、第１分岐管路１０１１と第２分岐管路１０１２が吸熱又は放熱する熱エネルギー伝送体１００を通して、受動的に放熱又は吸熱する熱伝導流体を伝送するパイプ構成体１００’と組合せる応用例である。
【００３３】
（第５実施形態）
本発明の第５実施形態を図１２に示す。本形態は、図４の流体管路１０１を、吸熱又は放熱する熱エネルギー伝送体１００を通して、数セットの受動的な放熱又は吸熱する熱伝導流体のパイプ構成体１００’と組合せる応用例である。
【００３４】
（第６実施形態）
本発明の第６実施形態を図１３に示す。本形態は、図７の流体管路１０１、第１分岐管路１０１１、第２分岐管路１０１２を、吸熱又は放熱する熱エネルギー伝送体１００を通して、数セットの受動的な放熱又は吸熱する熱伝導流体のパイプ構成体１００’と組合せる応用例である。
本形態の吸熱又は放熱装置は、吸熱又は放熱効果を一層高めるために、流体管路１０１及び／又は受動的に放熱又は吸熱する熱伝導流体を伝送するパイプ構成体１００’に独立の熱伝導性板３００を追加設置し、放熱又は吸熱効果を一層高めることができる。
【００３５】
（第７実施形態）
本発明の第７実施形態を図１４に示す。本形態は、流体管路１０１に、独立した熱伝導性板３００を付け加える実施形態である。
図１５は図１４のＡ−Ａ断面図である。
本形態の吸熱又は放熱装置は、吸熱又は放熱効果を一層高めるために、流体管路１０１及び／又は受動的に放熱又は吸熱する熱伝導流体を伝送するパイプ構成体１００’間に、共熱伝導性板４００を追加設置し、放熱又は吸熱効果を一層高めることができる。
【００３６】
（第８実施形態）
本発明の第８実施形態を図１６に示す。本形態は、流体管路１０１間に共熱伝導性板４００を設置する実施形態である。
図１７は図１６のＢ−Ｂ断面図である。
本形態の吸熱又は放熱装置は、吸熱又は放熱効果を一層高めるために、流体管路１０１及び／又は受動的に放熱又は吸熱する熱伝導流体を伝送するパイプ構成体１００’間に、耐熱槽を持つ熱伝導性板３５０を設置し、放熱又は吸熱効果を一層高めることができる。
【００３７】
（第９実施形態）
本発明の第９実施形態を図１８に示す。本形態は、流体管路１０１間に耐熱槽を持つ熱伝導性板３５０を設置する実施形態である。
図１９は図１８のＣ−Ｃ断面図である。
本形態の吸熱又は放熱装置の中に、流体管路１０１を通過し、及び／又は受動的に放熱又は吸熱する熱伝導流体を伝送するパイプ構成体１００’の流体は、制御装置５００の制御を通して、二方向流体ポンピング装置６００を駆動し、周期的に正逆方向へ圧送し、二方向に熱伝導流体１１０を圧送することにより、その均温効果を高める。
上述の二方向流体ポンピング装置６００は、機電装置又は電子装置又はマイクロコンピュータ及び関連ソフトにより構成される制御装置５００により制御され、また周期的に正逆方向へ圧送する。
【００３８】
（第１０実施形態）
本発明の第１０実施形態を図２０に示す。本形態は、二方向にポンプを通して、二方向に周期的に圧送する熱伝導流体１１０の作動システムである
本形態の吸熱又は放熱装置を応用するとき、応用のニーズ、需要構成、コスト考量に応じて、前述の作動原理のもとにおいて、下記の（１）から（９）のうち少なくとも一種の製作が可能である。
【００３９】
（１）本形態の吸熱又は放熱装置は、その熱伝導流体１１０が通過する流体管路と吸熱又は放熱する熱エネルギー伝送体１００を一体構成にすることができる。
（２）本形態の吸熱又は放熱装置は、その熱伝導流体１１０が通過する流体管路と吸熱又は放熱する熱エネルギー伝送体１００を組合せ構成により構成されることができる。
【００４０】
（３）本形態の吸熱又は放熱装置は、その流体１１０が通過する流体管路での結合は、１セットの構体により板状、又は塊状、又は多翼状により構成ユニットを構成し、又は翼片との組合せにより構成ユニットを構成し、また少なくとも一個の構成ユニットにより構成されることができる。
（４）本形態の吸熱又は放熱装置は、一個又は一個以上により組立てられ、またその個別パーツは熱伝導流体１１０が通過する流体管路の間で、直列又は並列又は直並列に接続され、また並列又は重なり合うようにして、各種幾何形状にすることができる。
【００４１】
（５）本形態の吸熱又は放熱装置において、その通過に関連する流体管路の熱伝導流体１１０は、圧送及び／又は蒸発、及び／又は冷熱の自然対流方式で熱伝導流体１１０を輸送する。
（６）本形態の吸熱又は放熱装置は、流体の冷熱温度差、自然対流及び／又は強制的に流体をポンピングすることにより対流を生じさせ、及び／又は輻射、及び／又は伝導の熱伝送機能を通して、流体状態の受動的に放熱又は吸熱する固相、又はゴム相、又は液相、又は気相物体又は空間２００に対して、熱エネルギー又は冷熱エネルギーを放出する。又は伝導方式を通して、受動的に放熱又は吸熱する固相、又はゴム相、又は液相、又は気相の物体又は空間２００に対して、熱エネルギー又は冷熱エネルギーを放出する。
【００４２】
（７）本形態の吸熱又は放熱装置において、その通過に関連する流体管路の熱伝導流体１１０は、密閉式循環又は開放式の流動放出を含む。
（８）本形態の吸熱又は放熱装置の各流体管路の流体入口と流体出口は、３次元空間中の指向性は、同指向又は異なる指向に設置することができる。
（９）本形態の吸熱又は放熱装置の流体管路は、管状構成により構成され、及び／又は流体が流動する流体管路の板片状構成により構成され、及び／又は流体が流動するトンネル状流体管路の塊状構成により構成されることを含む。
【００４３】
本発明の吸熱又は放熱装置は、各種吸熱又は散熱又は冷却の熱伝導応用装置、例えばエンジンルームのラジエーター、へ応用することができる。
又は、本形態は、温度を通して伝導する流体を吸熱する冷熱エネルギー排放装置、又は温度を通して伝導する流体を放熱する熱エネルギー排放装置、例えば暖房器具の熱エネルギー伝送、又は加熱装置、又は熱エネルギー伝送装置、へ応用することができる。
【００４４】
又は、本発明は、建物の天井、壁、床の加熱又は冷卻、太陽光パネル（ｐｈｏｔｏｖｏｌｔａｉｃ  ｐａｎｅｌ）の冷卻、電機又は動力機械の加熱又は冷卻、各種マシンシェルの吸熱又は散熱するヒートパイプ構成のボディシェルの吸熱又は散熱、各種構成のボディシェルの吸熱又は散熱、各種チップ又は半導体素子の吸熱又は散熱、各種通風装置、へ応用することができる。
【００４５】
又は、本発明は、情報装置、又はステレオ又は画像装置の吸熱又は散熱又は熱エネルギーの伝送、各種灯具又は発光ダイオード（ＬＥＤ）の吸熱又は散熱又は熱エネルギー伝送、空調装置の蒸発器の吸熱又は冷凝器の散熱又は熱エネルギー伝送、又は機械装置の熱エネルギー伝送、又は摩擦熱による損失の散熱、又は電暖装置又はその他電熱家電の装置又は電熱式炊飯器の散熱又は熱エネルギー伝送、又は火炎加熱のストーブ又は炊具の吸熱又は熱エネルギー伝送、へ応用することができる。
【００４６】
又は、本発明は、地層又は水中での熱エネルギーの吸熱又は散熱又は熱エネルギー伝送、工場建物又は家屋建物又は建築材料又は建築空間の吸熱又は散熱又は熱エネルギー伝送、水塔の吸熱又は散熱、バッテリー又は燃料電池の吸熱又は散熱又は熱エネルギー伝送へ応用することができる。
【００４７】
さらに、本発明は、家電商品、工業商品、電子商品、電機又は機械装置、発電設備、建築体、空調装置、生産設備又は産業の製造過程中の熱エネルギー伝送への応用を含む。
【符号の説明】
【００４８】
１００・・・吸熱又は放熱する熱エネルギー伝送体
１００’・・・受動的に放熱又は吸熱する熱伝導流体を伝送するパイプ構成体
１０１・・・流体管路
１０２・・・流体入口
１０３・・・流体出口
１１０・・・熱伝導流体
２００・・・受動的に放熱又は吸熱する固相、又はゴム相、又は液相、又は気相物体
又は空間
３００・・・独立した熱伝導性板
３５０・・・耐熱槽を持つ熱伝導性板
４００・・・共熱伝導性板
５００・・・制御装置
６００・・・二方向流体ポンピング装置
１０１１・・・第１分岐管路
１０１２・・・第２分岐管路
【図１】
2011085384.tif 000003
【図２】
2011085384.tif 000004
【図３】
2011085384.tif 000005
【図４】
2011085384.tif 000006
【図５】
2011085384.tif 000007
【図６】
2011085384.tif 000008
【図７】
2011085384.tif 000009
【図８】
2011085384.tif 000010
【図９】
2011085384.tif 000011
【図１０】
2011085384.tif 000012
【図１１】
2011085384.tif 000013
【図１２】
2011085384.tif 000014
【図１３】
2011085384.tif 000015
【図１４】
2011085384.tif 000016
【図１５】
2011085384.tif 000017
【図１６】
2011085384.tif 000018
【図１７】
2011085384.tif 000019
【図１８】
2011085384.tif 000020
【図１９】
2011085384.tif 000021
【図２０】
2011085384.tif 000022